(57)【要約】【課題】ボールを打撃したときに、木材で打撃したときの打球感を有し、かつ、加工が容易で、耐久性の向上したパークゴルフ用ヘッドを提供しようとするものである。【解決手段】木材の繊維伸長方向に対して垂直に切断した木口面ｃにおいて、長辺が１５ｍｍ〜１８ｍｍ、短辺は５ｍｍ〜６ｍｍの矩形で、繊維の伸長方向である側面ｂの長さが１００ｍｍとなるように切り出して小木片８ａを形成した。次にこの小木片８ａの長辺側の側面ａを３片にわたり接合して木口面がほぼ正方形の複合木片９とした。この木片９を、その３つの小木片が接合された接合面が現れる側面ｂと、他の木片８の長辺側の側面ａとを交互に接合して積木合板７とし、この積木合板７の木口面ｃがヘッド１の上面部３となるよう切削加工してヘッド本体１ａを形成した。【選択図】図３
2006034387.tif 000002
【特許請求の範囲】
【請求項１】
ヘッドの主要部分であるヘッド本体が木材で形成されたパークゴルフ用クラブのヘッドであって、前記ヘッド本体は、木材の繊維の伸長方向に対して垂直方向の面である木口面が矩形の棒状の木片の側面を複数積層してなる積木合板により構成され、かつ、前記積木合板の側面がフェース部側となるよう形成されていることを特徴とするパークゴルフ用クラブのヘッド。
【発明の詳細な説明】
【技術分野】
【０００１】
本発明は、パークゴルフ用クラブのヘッドに関するものである。
【背景技術】
【０００２】
パークゴルフに用いられるクラブは、図４に示すように、一般に木製のヘッド１０と、シャフト１５から構成されている。シャフト１５は、ゴルフクラブのシャフトに比べて管状体の径が大きく従って、曲げ剛性が大きくなっている。また、ヘッド１０としては、そのヘッド１０の主要部分を占める木製のヘッド本体１６と、ヘッド本体１６の底面に装着されたソール板１４、そして、後述するボールを打撃するそのフェース部１２の一部または全面に装着されたフェース板１３を含んだ構成となっている。
【０００３】
一方、これら競技に使用されるボールは、直径６ｃｍ程度とゴルフボールに比べて大きく、またその材料として、ポリエチレン、ポリプロピレン、ポリウレタンなどの硬質プラスチックスが用いられた硬いものである。したがって、このようなボールを打撃するヘッドでは、ひとつの木材の塊から削り出してヘッドとした場合には、前記フェース板を介して加わる衝撃力や、あるいは、フェース板以外の木製のフェース部に加わる衝撃力が繰り返されることにより、前記フェース部を含むヘッド本体が破壊したり欠損する恐れがあった。また、１個の木の塊から、複雑な形状のヘッドを形成するには多くの木材を必要とし、天然資源の枯渇を招くなどの問題点があった。
【０００４】
このような問題点を改善する方法として、薄い板材を複数積層した合板を用いることはゴルフクラブ用ヘッドとしては、従来から実施されている。例えば、ゴルフクラブ用ヘッドとしては、特許文献１には、フェース面に平行な木目を持つように積層された主合板部と、その上下面には、繊維方向が主合板部の繊維方向と直行する副合板部が積層されて形成されたヘッドが開示されている。
【０００５】
また、パークゴルフ用クラブのヘッドとしては、特許文献２には、竹板と、木板を組み合わせた集成材を用いて形成されたヘッドが開示されている。このヘッドは、その繊維方向に沿って厚みが２ｍｍ〜５ｍｍ程度となるように切断して竹材よりなる竹板と、木材よりなる木板を切り出し、それらの平板部を上下に積み重ねて集成材１１とする。そして、前記集成材１１を、その竹材と木板がフェース面において略水平方向の層となって交互に現れるように切削加工してヘッドとしている。
【特許文献１】実開昭５１−４９１７０号公報
【特許文献２】特開２００４−１７３７９６号公報
【発明の開示】
【発明が解決しようとする課題】
【０００６】
一般的に、薄い板材をその平面側を上下に接合して形成したいわゆる積層合板においては、積層合板の板材が層となって現れる側面の側は、平面側に比べて衝撃強度が劣る。
したがって、前記集成材を、フェース面において略水平方向の層となって交互に現れるように成形したものにあっては、フェース部に積層合板の強度が低い側が現れることとなり、ボールを繰り返し打撃することにより破壊されやすい。また、板材が薄いので、これら薄い板材を接合すると、接合するための接着剤の特性の影響が大きく、積層合板としての硬度は大きくなるが、木材本来の柔らかい打球感が得られ難いという問題点があった。
さらに、ヘッド形状は外形が丸みを帯びており、特にヘッドの先端側の部分では、その曲面が小さく、前記積層合板を曲面に加工すると繊維が剥がれやすく、耐久性に劣るものであった。また、シャフトを挿入固着する挿入孔を形成するにあたっても、該挿入孔の先端の薄板の繊維が裂けるなど、加工に手間がかかった。
【０００７】
そこで、本発明はこれら従来の問題点を解決し、ボールを打撃したときに、木材で打撃したときの打球感を有し、かつ、加工が容易で、耐久性の向上したパークゴルフ用クラブのヘッドを提供しようとするものである。
【課題を解決するための手段】
【０００８】
前記目的を達成するために、本発明のパークゴルフ用クラブのヘッドは、前記ヘッドの主要部分が木材で形成されたパークゴルフ用クラブのヘッドであって、前記ヘッド本体は、木材の繊維の伸長方向に対して垂直方向の面である木口面が矩形の棒状の木片の側面を複数積層してなる積木合板により構成され、かつ、前記積木合板の側面がフェース部側となるよう形成されていることを特徴とするパークゴルフ用クラブのヘッドである。
【発明の効果】
【０００９】
本発明のパークゴルフ用クラブのヘッドは、木材の伸長方向に垂直に切断してなる小口面が矩形の棒状に切り出した木材により、その側面を、前記木材の繊維の並列方向が互いに異なるように接合して積木合板を形成し、その積木合板を用いて、その積木合板の側面側が、フェース面の方向となるように切削加工してヘッドを形成したものであるから、ヘッドを成形する際に、切削加工工程が容易で、かつ、耐久性が向上し、しかも木材の打球感を保持したヘッドとなる。
【発明を実施するための最良の形態】
【００１０】
以下、本発明を図面とともに示す一実施の形態に基づき説明する。図１は本発明の実施形態に係るパークゴルフ用クラブのヘッドの斜視図、図２、図３はその成形材料を説明する図である。
図１に示すように、本発明のヘッド１は、ボールを打撃するフェース部２と、ヘッド１の上面をなす上面部３と、ヘッド１の下面をなすソール部４と、前記上面部３とソール部４との間を繋ぐ側面部５を備えたヘッド本体１ａを木製で形成し、そのヘッド本体１ａのフェース部２にはその表面を保護するフェース板２ａが装着されており、また、ソール部４には金属製のソール板４ａが装着された構成となっている。
前記ヘッド１の上面部３にはシャフト６を装着するための孔３ａが設けられていて、この孔３ａにシャフト６を装着することでパークゴルフ用クラブとなる。
本発明においては、ヘッド本体を形成するために積木合板７を用いている。前記積木合板Ａは、図２に示すように、木材の繊維伸長方向に垂直に切断した木口面ｃにおいて、一辺が５ｍｍ−１５ｍｍ程度の矩形である棒状に切り出した木片８を、その繊維伸張方向である長さ方向の側面ａを接合して合板としたものである。
【００１１】
前記木片７はその木口面ｃの各辺がほぼ均等であることが好ましい。このほぼ均等であるとは、１本の棒状体である木片８が、その木口面ｃが正方形に形成された状態であるもののほか、例えば前記木片８よりも小さい棒状体であって、その木口面が長方形の小木片８ａの長辺側の側面ａを接合することで、前記木片８の木口面ｃに相当する複合木片９としてもよい。このとき、このような複合木片９を用いて積木合板７とする場合には、複合木片９の、小木片８ａの短辺側の側面ｂと、次の複合木片９の長辺側の側面ａを接合して積木合板７とする。このようにすることにより、積木合板７としたときに、該合板の側面ａ、ｂの位置により強度、反発性の違いが少なくできるので好ましい。そして、このような積木合板を用いることにより、ヘッドを成形加工作業が容易となる。また、前記積木合板Ａの長さは、少なくともヘッドが切り出せる長さであれば良い。
【００１２】
このような積木合板７を用いてヘッド本体１ａを成形するにあたっては、前記積木合板の側面ａがフェース部２に現れるように加工する。硬くて大きいパークゴルフ用ボールを繰り返し打撃するフェース面方向には、強度特性が重要であり、木口面より側面側のほうが衝撃強度が高いためである。
【実施例】
【００１３】
本実施例では、積木合板７として、楓材を用いた。この木材を、図３に示すように、その繊維伸長方向に対して垂直に切断した木口面ｃにおいて、長辺が１５ｍｍ〜１８ｍｍ、短辺は５ｍｍ〜６ｍｍの矩形で、繊維の伸長方向である側面ｂの長さが１００ｍｍとなるように切り出して小木片８ａを形成した。次にこの小木片８ａの長辺側の側面ａを３片にわたり接合して木口面がほぼ正方形の複合木片９とした。この木片９を、その３つの小木片が接合された接合面が現れる側面ｂと、他の木片８の長辺側の側面ａとを交互に接合して積木合板７とし、この積木合板７の木口面ｃがヘッド１の上面部３となるよう切削加工してヘッド本体１ａを形成した。そして、このヘッド本体１ａのフェース部２にはフェース板２ａ、ソール部４にはソール板４ａを装着し、ヘッド１とした。
【００１４】
前記積木合板７においては、木片８を複数接合するにあたり、この木片８を３片の小木片８ａを接合して形成しているが、本発明では、このような構成に限定されることなく、木片の木口面における矩形の少なくとも２辺ｅが５ｍｍ以上の厚みを有するものであれば良く、木片８を構成する小木片の接合枚数は限定されるものではない。また、積木合板を形成する木材の材料としては、前記楓のほか、柿、竹などが用いられる。
【００１５】
比較例のパークゴルフ用クラブのヘッド１０としては、図４に示すように、木材をその木口面の厚みが１ｍｍ〜２ｍｍ程度となるように形成し、それらの平面側を複数接合して積層合板１１を形成した。この積層合板１１を用いて、ヘッド１０のフェース部に前記積層合板１１の木口面が現れるように切削加工し、その後、フェース部１２にはフェース板１３、ソール部にはソール板１４を装着し、パークゴルフ用クラブのヘッド１０とした。
【００１６】
実施例のヘッドと比較例のヘッドについて、それぞれのヘッドから、一部を試験片として切り出した。この試験片を用いて、アイゾット衝撃試験機によるアイゾット衝撃試験方法に準じて試験し、その衝撃強度について比較した。その実施例のヘッドの結果を表１に、比較例のヘッドの結果を表２に示す。
【００１７】
【表１】
2006034387.tif 000003
【００１８】
【表２】
2006034387.tif 000004
【００１９】
表１および表２に示すに、本実施例の積み木合板は、従来の積層合板に比して、側面と木口面の強度の差が少ない。
このような積木合板を用い、かつ、前記積木合板の側面側がヘッドの強度を必要とするフェース部側となるように形成したことで、ヘッドの耐久性がより向上した。また、クラウン側に現れる木口面は、従来の合板に比して強度も大きく、クラウン側に加わる予想外の衝撃、たとえば、クラブの出し入れや収納時、プレー中の他の障害物との衝突にも十分耐久性がある。また、クラウン部にはシャフトを固着するための孔を穿設するが、この孔の穿設にあたっては、積木合板の繊維方向に穿設するので、穿設作業が容易となる。
さらに、前記合板は木材の特性を有しているため、シャフトを孔に挿入して固着した部分の境界での折損をある程度、防止できる。
【図面の簡単な説明】
【００２０】
【図１】本発明に係るヘッドの一実施形態を示す外観図。
【図２】本発明に係るヘッドを構成する成形材料の一例を説明する図。
【図３】本発明に係るヘッドを構成する成形材料の他の例を説明する図。
【図４】従来のヘッドを説明する図。
【符号の説明】
【００２１】
１  ヘッド
１ａ  ヘッド本体
２  フェース部
２ａ  フェース板
３  上面部
３ａ  孔
４  ソール部
４ａ  ソール板
５  側面部
６  シャフト
７  積木合板
８  木片
８ａ  小木片
９  複合木片
１０  ヘッド
１１  集成材
１２  フェース部
１３  フェース板
１４  ソール板
１５  シャフト
１６  ヘッド本体
【図１】
2006034387.tif 000005
【図２】
2006034387.tif 000006
【図３】
2006034387.tif 000007
【図４】
2006034387.tif 000008